(57)【要約】【課題】  スライドを見るような感覚で撮影画像を光学ファインダ上で確認できる小型且つ薄型形状のカメラを提供する。【解決手段】  被写体についての画像を撮像して当該画像を示す画像データを生成する撮像部（４、５、２１）と、カメラの筐体の前面側から背面側への光透過性を有しており、当該背面側から透視される前記被写体についての像に重畳させて前記画像を自ら形成して当該背面側に表示する表示部１とをカメラに設ける。【選択図】      図２
2005110161.tif 000002
【特許請求の範囲】
【請求項１】
被写体を撮影するカメラであって、
前記被写体についての画像を撮像して当該画像を示す画像データを生成する撮像手段と、
前記カメラの筐体の前面側から背面側への光透過性を有しており、当該背面側から透視される前記被写体についての像に重畳させて前記画像を自ら形成して当該背面側に表示する表示手段と、
を有することを特徴とするカメラ。
【請求項２】
前記表示手段の表示面は、前記撮像手段によって撮像される画像に含まれ得る範囲を前記背面側から透視可能な広さを有していることを特徴とする請求項１に記載のカメラ。
【請求項３】
前記カメラの筐体は、前記表示手段の外周を保持する枠形状を呈していることを特徴とする請求項１に記載のカメラ。
【請求項４】
前記表示手段の表示面は、前記カメラの筐体表面から内側に沈んだ位置に配置されていることを特徴とする請求項１から３までのうちのいずれか一項に記載のカメラ。
【請求項５】
前記撮像手段は前記被写体を結像させる撮像レンズを有しており、当該撮像レンズは、前記カメラの筐体における前面の側端部であって当該カメラの使用者が当該カメラを支持するために握持するグリップ部とは反対側の当該側端部に配置されていることを特徴とする請求項１から４のうちのいずれか一項に記載のカメラ。
【請求項６】
前記表示手段を光で照らす照射手段を有するアクセサリに対して当該照射のための電力を供給する電力供給端子を更に有することを特徴とする請求項１から５のうちのいずれか一項に記載のカメラ。
【請求項７】
前記電力供給端子は前記カメラの前面側に設けられていることを特徴とする請求項６に記載のカメラ。
【請求項８】
前記表示手段は、前記画像データで表されている画像を前記カメラの前面側にも表示することを特徴とする請求項１から７のうちのいずれか一項に記載のカメラ。
【請求項９】
前記表示手段は、有機ＥＬ（電界発光効果）表示素子を用いて構成されていることを特徴とする請求項１から８のうちのいずれか一項に記載のカメラ。
【請求項１０】
被写体を撮影するカメラのアクセサリであって、
前記カメラには、
前記被写体についての画像を撮像して当該画像を示す画像データを生成する撮像手段と、
前記カメラの筐体の前面側から背面側への光透過性を有しており、当該背面側から透視される前記被写体についての像に重畳させて前記画像を自ら形成して当該背面側に表示する表示手段と、
が備えられており、
前記アクセサリは、前記表示手段を光で照らす照射手段を有する、
ことを特徴とするアクセサリ。
【請求項１１】
前記アクセサリは、前記カメラを収納するカメラケースであることを特徴とする請求項１０に記載のアクセサリ。
【請求項１２】
前記カメラには、前記照射手段へ電力を供給する電力供給端子が更に備えられており、
前記照射手段は、前記電力供給端子から供給される電力を用いて前記表示手段を照らす、
ことを特徴とする請求項１０又は１１に記載のアクセサリ。
【請求項１３】
前記アクセサリは、前記カメラが載置されるカメラスタンドであることを特徴とする請求項１０に記載のアクセサリ。
【請求項１４】
前記カメラスタンドは、前記カメラへ電力を供給するコネクタを有していることを特徴とする請求項１３に記載のアクセサリ。
【請求項１５】
被写体を撮影するカメラと、当該カメラのアクセサリとからなるカメラシステムであって、
前記カメラは、
前記被写体についての画像を撮像して当該画像を示す画像データを生成する撮像手段と、
前記カメラの筐体の前面側から背面側への光透過性を有しており、当該背面側から透視される前記被写体についての像に重畳させて前記画像を自ら形成して当該背面側に表示する表示手段と、
を有し、
前記アクセサリは、前記表示手段を光で照らす照射手段を有する、
ことを特徴とするカメラシステム。
【発明の詳細な説明】
【技術分野】
【０００１】
本発明はカメラで用いられる技術に関し、特に、撮影される画像の構図を撮影時に観察するための技術に関する。
【背景技術】
【０００２】
カメラの撮影範囲内に被写体を適切な構図として収めるために、カメラにはファインダが装備されている。一般的なカメラに備えられているファインダの多くは、観察のための接眼窓が小さく設けられているため、カメラを構えてからこの接眼窓を覗くまでに費やされるわずかな時間で一瞬のシャッターチャンスを逃してしまうことがある。
【０００３】
ところで、このようなファインダの視野は、撮影範囲と同一若しくはそれにごく近い範囲しか提供されていない。そのため、例えば高速で移動している被写体がファインダの視野から外れてしまった場合には、その被写体をファインダの視野内に再度捕えることは困難であり、このとき、撮影者は一旦ファインダから視線を外して肉眼でその被写体の位置を確認するなどといった動作を必要とする。
【０００４】
このような問題を解決するべく、スポーツファインダと称されているものがよく知られている。スポーツファインダは、接眼窓に目を押し付けなくても撮影範囲を把握することができ、また、カメラを顔の直近に構えなくて済むので、ファインダ視野を観察する姿勢のまま撮影範囲外の様子を肉眼で容易に観察することができる。
【０００５】
このようなスポーツファインダにホログラムの技術を応用して改良したものが特許文献１に開示されている。この文献に開示されているビデオカメラは、被写体像を透過させるスクリーンに撮影画像を投影することによって、被写体像と撮像素子での撮影画像とを重畳表示させるような表示装置を備えている。この表示装置はスポーツファインダと同様の機能を提供すると共に、撮影画像も観察できる。
【０００６】
この他、このようなファインダに相当する機能を提供する技術として、デジタルスチルカメラにＬＣＤ（Liquid Crystal Display）等の画像表示装置を装備し、撮像素子で撮像されている画像をいわゆるスルー画像として画像表示装置に表示させるというものがある（例えば、特許文献２参照）。撮影者はこの画像表示装置での表示画像を見ることで撮影画像の構図を観察することができる。
【特許文献１】特開平９−６５１８３号公報
【特許文献２】特開平１１−８７８６号公報
【発明の開示】
【発明が解決しようとする課題】
【０００７】
上掲の特許文献１に開示されている技術では、画像表示をスクリーンと投影部とを用いて行うため、両者の位置調整が難しく、装置の小型化も容易ではない。また、この画像表示は、スクリーンをカメラの上面に起立させた形態で使用されるため、利便性も良好とはいえない。
【０００８】
本発明は上述した問題に鑑みてなされたものであり、その解決しようとする課題は、スライドを見るような感覚で撮影画像を光学ファインダ上で確認できる小型且つ薄型形状のカメラを提供することである。
【課題を解決するための手段】
【０００９】
本発明の態様のひとつであるカメラは、被写体を撮影するものであって、被写体についての画像を撮像して当該画像を示す画像データを生成する撮像手段と、当該カメラの筐体の前面側から背面側への光透過性を有しており、当該背面側から透視される当該被写体についての像に重畳させて当該画像を自ら形成して当該背面側に表示する表示手段と、を有するように構成することを特徴とするものである。
【００１０】
この構成によれば、画像をスクリーンに投影して表示をするのではなく、表示手段が画像を自ら形成して表示するので、投影部とスクリーンとの煩雑な位置調整が不要であり、カメラの小型化も容易となり、また利便性も向上する。
なお、上述した本発明に係るカメラにおいて、表示手段の表示面は、撮像手段によって撮像される画像に含まれ得る範囲を前述した背面側から透視可能な広さを有しているように構成することもできる。
【００１１】
この構造によれば、従来の光学ファインダのように接眼窓に目を押し付けなくても撮影範囲を把握することができるので、撮影によって撮影者が感じる疲労感が少なくなる。
また、前述した本発明に係るカメラにおいて、当該カメラの筐体は、表示手段の外周を保持する枠形状を呈しているように構成することもできる。
【００１２】
この構造によれば、カメラ全体のサイズに比較して広い視野を有する表示手段をファインダとしてカメラに備えることができる。
また、前述した本発明に係るカメラにおいて、表示手段の表示面は、当該カメラの筐体表面から内側に沈んだ位置に配置されているように構成することもできる。
【００１３】
この構造によれば、表示手段の表示面を外部からの衝撃による傷の発生から保護することができる。
また、前述した本発明に係るカメラにおいて、撮像手段は被写体を結像させる撮像レンズを有しており、当該撮像レンズは、当該カメラの筐体における前面の側端部であって当該カメラの使用者が当該カメラを支持するために握持するグリップ部とは反対側の当該側端部に配置されているように構成することもできる。
【００１４】
この構造によれば、使用者が撮影時にカメラを握持することで当該カメラを安定させることができる。
また、前述した本発明に係るカメラにおいて、表示手段を光で照らす照射手段を有するアクセサリに対して当該照射のための電力を供給する電力供給端子を更に有するように構成することもできる。
【００１５】
この構成によれば、アクセサリ自体に電源となる電池等を備えたり、あるいは他から電力を供給したりしなくても、照射手段を動作させることができるので、アクセサリの構成が単純化される。
なお、このとき、電力供給端子は当該カメラの前面側に設けられているように構成することもできる。
【００１６】
この構造によれば、照射手段をカメラの前面側に設ける場合に電力供給端子から照射手段までの配線を短くすることができる。
また、前述した本発明に係るカメラにおいて、表示手段は、画像データで表されている画像を前記カメラの前面側にも表示するようにすることもできる。
【００１７】
この構成によれば、このカメラで撮影者自身を撮影するときなどに自画像をカメラの前面側でも確認できるようになる。
また、前述した本発明に係るカメラにおいて、表示手段は、有機ＥＬ（電界発光効果）表示素子を用いて構成されているようにすることもできる。
【００１８】
この構成は、前述した表示手段を実現させる一例である。
また、本発明の別の態様のひとつであるアクセサリは、被写体を撮影するカメラのアクセサリであって、当該カメラには、当該被写体についての画像を撮像して当該画像を示す画像データを生成する撮像手段と、当該カメラの筐体の前面側から背面側への光透過性を有しており、当該背面側から透視される当該被写体についての像に重畳させて当該画像を自ら形成して当該背面側に表示する表示手段と、が備えられており、当該アクセサリは、当該表示手段を光で照らす照射手段を有する、ことを特徴とするものである。
【００１９】
この構成によれば、必要に応じて当該アクセサリを利用することにより表示手段に表示される画像の視認性を向上させることができ、表示手段の照射が不要な場合にはアクセサリを携行しないようにすることができるのでカメラの携帯性が損なわれない。
なお、上述した本発明に係るアクセサリにおいて、当該アクセサリは、当該カメラを収納するカメラケースであってもよい。
【００２０】
なお、このとき、当該カメラには、当該照射手段へ電力を供給する電力供給端子が更に備えられており、当該照射手段は、当該電力供給端子から供給される電力を用いて当該表示手段を照らすように構成することもできる。
この構成によれば、アクセサリ自体に電源となる電池等を備えたり、あるいは他から電力を供給したりしなくても、照射手段を動作させることができるので、アクセサリの構成が単純化される。
【００２１】
また、前述した本発明に係るアクセサリにおいて、当該アクセサリは、当該カメラが載置されるカメラスタンドであってもよい。
なお、このとき、このカメラスタンドは、当該カメラへ電力を供給するコネクタを有しているように構成することもできる。
【００２２】
この構成によれば、当該カメラが当該コネクタを介してカメラスタンドから電力の供給を受けることにより、当該カメラの電源である電池等を消費することなくカメラを動作させることができる。
また、本発明の更なる別の態様のひとつであるカメラシステムは、被写体を撮影するカメラと、当該カメラのアクセサリとからなるシステムであって、当該カメラは、当該被写体についての画像を撮像して当該画像を示す画像データを生成する撮像手段と、当該カメラの筐体の前面側から背面側への光透過性を有しており、当該背面側から透視される当該被写体についての像に重畳させて当該画像を自ら形成して当該背面側に表示する表示手段と、を有し、当該アクセサリは、当該表示手段を光で照らす照射手段を有する、ことを特徴とするものである。
【００２３】
この構成によれば、画像をスクリーンに投影して表示をするのではなく、表示手段が画像を自ら形成して表示するので、カメラにおける投影部とスクリーンとの煩雑な位置調整が不要であり、カメラの小型化も容易となり、また利便性も向上する。
また、必要に応じて当該アクセサリを利用することにより表示手段に表示される画像の視認性を向上させることができ、表示手段の照射が不要な場合にはアクセサリを携行しないようにすることができるのでカメラの携帯性が損なわれない。
【発明の効果】
【００２４】
以上のように、本発明のいずれの態様によっても、スライドを見るような感覚で撮影画像を光学ファインダ上で確認できる小型且つ薄型形状のカメラを提供することができる。
【発明を実施するための最良の形態】
【００２５】
以下、本発明の実施の形態を図面に基づいて説明する。
まず、図１について説明する。同図は本発明を実施するカメラ（デジタルカメラ）１００の外観及びこのカメラを構成する主要な部品の配置を示している。
図１において、（ａ）はこのカメラ１００の正面図であり、このカメラ１００をその前面から見たときの図である。（ｂ）はこのカメラ１００の右側面図であり、（ｃ）の図は（ａ）に符号Ａ−Ａで示した二点鎖線の位置でこのカメラ１００を切断したときの断面図である。（ｄ）の図は（ａ）に符号Ｂ−Ｂで示した二点鎖線の位置でこのカメラ１００を切断したときの断面図であり、（ｅ）の図は（ａ）に符号Ｃ−Ｃで示した二点鎖線の位置でこのカメラ１００を切断したときの断面図である。また、（ｆ）はこのカメラ１００の左側面図である。
【００２６】
また、図１において、（ｇ）は（ａ）に符号Ｄ−Ｄで示した二点鎖線の位置でこのカメラ１００を切断したときの断面図であり、（ｈ）はこのカメラ１００の上面図である。そして、（ｉ）はこのカメラ１００の背面図であり、撮影者は、カメラ１００の前面側に位置している被写体をこの背面側から観察して被写体像の撮影を行う。
【００２７】
図１において、表示部１はこの薄型のカメラ１００の前面側から背面側への光透過性を有しており、撮影者によってカメラ１００の背面側から透視される被写体についての像に重畳させて各種の画像を表示することができる。詳細は後述するが、この表示部１には、このような光透過性を有する有機ＥＬ（Electroluminescence ）表示素子、ＥＣＤ（Electrochromic Display）、ＬＣＤ等の透過型表示素子が使用される。
【００２８】
表示部１は筐体２によって保持されている。（ａ）や（ｉ）を参照すれば分かるように、表示部１がカメラ１００の正面の主要な大きさを占めている。筐体２は表示部１の外周を保持する枠形状を呈している。（ｄ）や（ｇ）に示されているように、表示部１の表面は、正面・背面共に、筐体２の外観面に対して１段低くなっている。これは表示部１の表示面を保護するためである。筐体２の正面側の開口部にはこの段差を形成する壁面が外側に広がるような斜面で形成されている。また、筐体２の側面には、全周に渡って突部１６が設けられている。
【００２９】
また、（ａ）に示されているように、カメラ１００の正面（前面側）の右側（撮影者から見て左側）には撮影レンズ窓３が設けられている。（ｃ）に示されているように、撮影レンズ窓３には撮影レンズ４が嵌め込まれており、更に、この撮影レンズ４による被写体像の結像位置にはＣＣＤ（Charge Coupled Device）５が配置されている。
【００３０】
また、（ａ）に示されているように、撮影レンズ窓３の下部にはＬＥＤ（Light Emmiting Diode）６が配置されている。ＬＥＤ６は、タイマー撮影時における被写体へのレリースタイミングの通知等のために使用される。
一方、（ａ）に示されているように、カメラ１００の正面の左上端（撮影者から見て右上端）には操作ダイヤル７が設けられており、操作ダイヤル７の周部の一部が操作面として筐体２より露出している。撮影者はこの操作ダイヤル７を回転操作若しくは押下することによって、カメラ１００に対して撮影条件の設定等の各種の指示を行うことができる。
【００３１】
また、（ａ）に示されているように、このカメラ１００の上側の筐体２の内部には上面基板８が、また、このカメラ１００の下側の筐体２の内部には底面基板９が、それぞれ底面に水平な向きで備えられている。上面基板８及び底面基板９はいずれも各種の電子回路部品がマウントされているプリント配線板である。上面基板８には後述するＣＰＵを含むカメラ１００の動作制御を行うための回路が主に構成されている。また、底面基板９には、後述する画像処理部や表示画像作成部などといった画像を処理するための回路が主に構成されている。
【００３２】
この他に、同様のプリント配線板として、（ｃ）、（ｅ）、（ｇ）に示すように、カメラ１００の正面の右側の筐体２の内部には撮像基板１０が背面側で且つ底面に垂直な向きで、また、カメラ１００の正面の左側の筐体２の内部には電源基板１１が正面側で且つ底面に垂直な向きで、それぞれ備えられている。撮像基板１０には後述するＣＣＤの駆動回路や内蔵メモリ１２の制御回路が構成されており、電源基板１１には後述する電源部の回路が構成されている。
【００３３】
更に、（ｃ）に示されているように、このカメラ１００によって撮影された画像を表している画像データ等の各種のデータが格納される半導体メモリである内蔵メモリ１２がカメラ１００の正面の右側の筐体２の内部に備えられており、また、（ａ）、（ｅ）、及び（ｇ）にそれぞれ示されているように、カメラ１００の正面の左側の筐体２の内部には、このカメラ１００の電源である板状の電池１３が装着されている。
【００３４】
更に、携帯しない場合にこのカメラ１００を載置しておくカメラスタンドから電力の供給を受けるための接点であるスタンド用接点１４が、（ｆ）の左側面図に示すように、このカメラ１００の側面に設けられている。
本実施形態に係るカメラ１００の主要構成部品は以上のように配置されている。なお、（ｇ）及び（ｉ）に示されているように、筐体２の背面側の撮影者から見て中央から右寄りには、筐体２の背面から筐体２の内部側に凹ませて指置き面１５が設けられている。このカメラ１００は撮影者が右手で保持することを前提しており、この指置き面１５の長辺方向に右手の親指を沿わせるように配置してカメラ１００の右側を右手で握ると保持しやすい構造となっている。また、筐体２の背面側には、後述する撮影者測距用の発光部３０及びラインセンサ３１を内部に備える窓１７が設けてある。
【００３５】
次に図２について説明する。同図は図１に示したカメラ１００の構成を示している。なお、図２において図１に示したものと同一の構成要素には同一の符号を付している。
撮影レンズ４はズーム機能を提供するためのズームレンズ４−１と、合焦のためのフォーカスレンズ４−２とを有しており、被写体像をＣＣＤ５の表面に結像させる。
【００３６】
ＣＣＤ５は、被写体像が表されている光学像を電気信号に変換する。
撮像部２１は、ＣＣＤ５から出力されるアナログ信号である電気信号を所定の大きさまで増幅した後にデジタル信号に変換して被写体像が表されている画像を表現している画像データを出力する。
【００３７】
画像処理部２２は、撮像部２１から出力された画像データに対して、当該画像データで表現されている画像のγ補正やエッジ強調、ホワイトバランス補正等の画像処理を施す。また、画像データを内蔵メモリ１２に格納する場合には画像データのデータ圧縮処理を必要に応じて行う。
【００３８】
内蔵メモリ１２は、ＣＰＵ２４からの指示に応じ、画像処理部２２によって処理が施された後の画像データを格納して撮影画像の記録を行う。また、このカメラ１００で画像の再生を行う場合には、この内蔵メモリ１２に格納されている画像データが読み出されて表示画像作成部２３へ転送される。
【００３９】
表示画像作成部２３には、画像撮影時においては画像処理部２２が出力される画像データで、また、記録画像の再生時においては内蔵メモリ１２から読み出された画像データで表現されている画像を生成し、所定の位置及び大きさで表示部１に表示させる。なお、内蔵メモリ１２から読み出された画像データが圧縮データである場合にはデータ伸張処理を行う。また、ＣＰＵ２４から送られてくるカメラ１００の動作に関する各種の情報、例えば撮影動作時における絞り、シャッター速度、あるいはズーム比などの設定状況を表示する画面を生成して表示部１に表示させる。更に、ＣＰＵ１からの指示に応じて後述する撮影表示枠を作成して表示部１に表示させる。
【００４０】
ＣＰＵ（Central Processing Unit ）２４は、予め用意されている制御プログラムを実行することによってカメラ１００全体の動作を制御するものであり、例えば、後述する撮影領域枠作成のための演算処理や、ＣＣＤ５によって撮像された画像の輝度を算出する処理が行われる。なお、制御プログラムは、ＣＰＵ２４自体に予め格納されていてもよく、また、ＣＰＵ２４による読み出しが可能な外付けの半導体メモリ（不図示）に予め格納しておくようにしてもよい。
【００４１】
操作部２５は前述した操作ダイヤル７を有しており、操作ダイヤル７に対する撮影者の操作内容を取得してその操作内容をＣＰＵ２４へ通知する。
ズームモータ２６及びフォーカスモータ２７は、ＣＰＵ２４の管理の下でそれぞれズームレンズ４−１及びフォーカスレンズ４−２を移動させる。
【００４２】
被写体測距部２８はオートフォーカス（自動焦点）機能を実現させるためにカメラ１００と被写体との間の距離を測定する。なお、本実施形態においては、周知の測距方式である位相差測距方式を用いてオートフォーカス機能を実現させるため、光電変換素子を被写体測距部２８として備えるようにしているが、ＣＣＤ５で取得された被写体像のコントラストが最高となる位置へフォーカスレンズ４−２を移動させるいわゆるコントラストＡＦをカメラ１００で採用するようにしてもよく、この場合には専用のハードウェアとして被写体測距部２８を設けなくて済む。
【００４３】
撮影者（使用者）測距部２９は、カメラ１００と撮影者（使用者）の頭部（より正確には瞳）との間の距離を測定する。本実施形態においては、撮影者測距部２９は、周知のいわゆるアクティブ方式による測距、すなわち発光部３０が発せられて撮影者の頭部で反射して戻って生きた赤外光がラインセンサ３１で検出されるときの検出位置の違い（赤外光の入射角）に基づいてこの距離を測定する。詳細は後述するが、ＣＰＵ２４は、この距離及びズームレンズ４−１によるズーム比に基づいた大きさの撮影領域枠を表示画像作成部２３に作成させて表示部１に表示させる。
【００４４】
電源部３２は、電池１３の電圧を所定のものへと変換してカメラ１００の各部に電力を供給する。なお、外部電源としての機能も有しているカメラスタンド２００への装着がスタンド用接点１４を介してＣＰＵ２４で検出された場合には、その旨の通知をＣＰＵ２４から受け取った電源部３２は、電池１３に代えてカメラスタンド２００に備えられている電源部２０１からスタンド用接点１４を介して電力の供給を受けるように入力の切り替えを行う。なお、電池１３として二次電池を使用するようにし、カメラスタンド２００から電力の供給を受けているときにはこの電池１３が充電されるように構成してもよい。
【００４５】
また、電源部３２は、カメラ１００がカメラケース３００に装着された場合には、カメラケース３００に備えられているバックライト３０１へ電源接点３３を介して電力を供給する。バックライト３０１は表示部１をカメラ１００の前面側から照明する。
なお、カメラ１００がカメラスタンド２００に載置された場合には、カメラスタンド２００に備えられているバックライト２０２が表示部１をカメラ１００の前面側から照明する。
【００４６】
次に図３及び図４について説明する。これらの図は表示部１の構造を示している。
図３に示す第一の例は、有機ＥＬ表示素子４１とＥＣＤ４２とが重ねられて表示部１が形成されている。
有機ＥＬ表示素子４１を動作させるとカメラ１００の背面側に光を放射する。
【００４７】
ＥＣＤ４２を動作させると、後述する電極間に所定電圧を印加することによってカメラ１００の前面側から背面側への光の透過を遮断することができ、この結果、表示部１を透視して被写体を見ることができなくなる。例えば内蔵メモリ１２に記録されている画像を表示部１で再生表示する場合には、ＥＣＤ４２で光の透過を遮断することにより再生画像の視認性が向上する。その一方、ＥＣＤ４２でも光を透過させるようにすると、銀塩カメラにおけるポジスライドのように、再生画像を光源や空間に透かしての画像観察をすることができる。
【００４８】
なお、同図に示されている有機ＥＬ素子４１の構造、すなわちガラス基板、陽極、正孔輸送層、発光層、電子輸送層、陰極、及び絶縁透明層を順に積層させた構造は周知のものであり、また、同図に示されているＥＣＤ４２の構造、すなわち、ガラス基板、電極、発色層、電解層、発色層、及び電極を順に積層させた構造も周知のものである。
【００４９】
なお、表示部１の構造として、図３に示す表示部１の前面側に、カメラ１００の背面側に光が放射されるように有機ＥＬ素子４１の構造を積層し、カメラ１００の前面側に位置している被写体に対してＣＣＤ５での現在の撮像画像（いわゆるスルー画像）等を提示できるようにしてもよい。こうすることにより、このカメラ１００で撮影者自身を撮影するときなどに自画像がカメラ１００の前面側で確認できるので便利である。
【００５０】
また、図３に示す表示部１の背面側に更に有機ＥＬ素子４１の構造を積層し、２枚の画面を撮影者に同時に提示できるようにすることも可能である。
一方、図４に示す第二の例は、光透過型であるＬＣＤ４３を用いて表示部１を形成したものであり、カメラ１００の前面側から光が入射している状態でＬＣＤ４３を動作させることによって撮影者はカメラ１００の背面側からその表示を視認することができる。
【００５１】
なお、同図に示されているＬＣＤ４３の構造、すなわち、偏光板、基板及び電極、液晶層、対向電極、カラーフィルタ、及び偏光板を順に積層させた構造も周知のものである。
次に、カメラ１００の表示部１での表示画面例と、画面を表示部１に表示させるためにＣＰＵ２４によって行われる処理とについて説明する。
【００５２】
まず図５及び図６に示す表示画面例について説明する。これらの図は本実施形態に係るカメラ１００が撮影動作を行うための動作モード（以下、「撮影モード」と称することとする）にある場合に表示部１に表示される、カメラ１００での撮影に関する各種の情報表示のための画面である。
【００５３】
初めに、これらの表示画面の構成要素について、図５の（ａ）を参照しながら説明する。
図５（ａ）において、５１はレンズ４の絞り値の現在設定値、５２はシャッター速度の現在設定値である。
【００５４】
また、５３は撮影領域枠であり、撮影者によって表示部１を通して透視される被写体を含む風景のうち撮影画像として記録される範囲を示す枠である。表示部１にて透視される被写体はズームレンズ４−１の設定位置、つまりズーム比には無関係なので、この撮影領域枠５３は、ズーム比変化による撮影領域の変化に対応して設定される必要がある。そして、この表示部１は、従来の覗き込み型ファインダと違い、表示部と撮影者の目との間隔が自由に選択でき、この間隔によって透視される被写体サイズが変化するので、撮影領域枠は、これを踏まえて設定されることも必要である。
【００５５】
５４はカメラ１００と撮影者の頭部との間隔を示す数値であり、撮影者測距部２９による測定結果である。
５５はズーム比表示レバーであり、５５−１は現ズーム位置表示である。この現ズーム位置表示５５−１のズーム比表示レバー５５における表示位置によって、ズームレンズ４−１の現在の設定状態が示される。ズーム比表示レバー５５の表示についてより具体的に説明すると、図５（ａ）に示されている表示はズームレンズ４−１がワイド（広角）端に設定されていることを示しており、図５（ｂ）に示されている表示はズームレンズ４−１がテレ（望遠）端に設定されていることを示している。
【００５６】
ところで、図５（ａ）と図５（ｂ）とを比較すると、この両者は、ズーム比表示レバー５５の表示が異なる他に、撮影領域枠５３のサイズ（大きさ）が異なっている。これは、（ｂ）においてはズームレンズ４−１がテレ端に設定された結果、撮影者によって表示部１を通して透視される被写体を含む風景のうち撮影画像として記録される範囲が（ａ）よりも狭くなったことを示している。
【００５７】
また、図５（ｃ）は、カメラ１００と撮影者の頭部との間隔表示５４で分かるように、図３（ａ）のカメラ１００の状態に対し、撮影者の頭部がカメラ１００から遠くなった（間隔が２０ｃｍから４０ｃｍへと広がった）状態を示している。この（ｃ）の表示では、この遠くなった分だけ撮影領域枠５３を（ａ）よりも広げることにより、撮影者によって表示部１を通して透視される被写体を含む風景のうち撮影画像として記録される範囲が適切に囲まれるようにしていることを示している。
【００５８】
次に図６について説明する。図６に示す表示画面が図５のものと異なる点は、カメラ１００と撮影者の頭部との間隔表示５４の代わりに、適正間隔表示５６が表示される点にある。この適正間隔表示５６は、撮影者測距部２９によって測定されるカメラ１００と撮影者の頭部との間隔が、予めカメラ１００に設定されている値、例えばいわゆる明視の距離（正常な視力を有する人が特に意識せず楽にはっきりと物を見ることのできる距離）である２５ｃｍ〜３０ｃｍ程度の距離に対して適正であるかどうかを示す表示であり、適正であれば（適正値の範囲内にあれば）５６−１が例えば明るく表示され、短い場合には５６−２が、長い場合には５６−３が、それぞれ例えば明るく表示される。適正間隔表示５６は、距離が所定の範囲内にあるか否かの告知を行う告知手段である。なお、この告知は音を用いるものであっても勿論構わない。
【００５９】
なお、図６において、（ａ）はズームレンズ４−１がワイド端に設定されていることを示しており、（ｂ）はズームレンズ４−１がテレ端に設定されていることを示している。従って、（ａ）と（ｂ）とにおける撮影表示枠５３のサイズの関係が図５における（ａ）と（ｂ）とにおけるものと同様となっている。
【００６０】
ここで、カメラ１００の撮影画角と撮影表示枠５３との関係について、図７を用いて説明する。
図７はカメラ１００を上面から見た図であり、同図における左側がカメラ１００の前面側、右側が背面側である。また、同図においては、長方形である表示部１の表示面の中心を通る当該面に垂直な直線上に撮影者の瞳が位置しているものとする。
【００６１】
同図に示されている変数を説明する。
Ｌはカメラ１００と撮影者の瞳との間隔であり、撮影者測距部２９によって測定されるカメラ１００と撮影者の頭部との距離が用いられる。
αは撮影画角であり、撮影レンズ４によって決まる。なお、この値はズーム比の設定に応じて変化する。
【００６２】
このとき、撮影領域枠５３の両横の縦線を撮影者の瞳が見るときの視角がαとなるように、撮影領域枠５３の横幅Ｎを設定すればよい。すなわち、
Ｎ＝２×Ｌtan （α／２）……………（１）
とすればよい。但し、表示部１の横幅をＭとすると、表示部１の両横端を撮影者の瞳が見るときの視角βは、
β＝２× tan-1（Ｍ／２／Ｌ）………（２）
であるので、β≧αの範囲においてのみ撮影領域枠５３を表示部１に表示させる。
【００６３】
なお、上述した説明は撮影領域枠５３の横幅についてのものであるが、撮影領域枠５３の縦幅についても同様に考えることができる。
次に、図８にフローチャートで示した撮影領域算出処理について説明する。この処理は、ＣＰＵ２４が前述した制御プログラムを実行することによって行われる処理であり、上述した説明を踏まえて撮影領域枠５３の寸法を算出し、当該寸法の撮影領域枠５３を表示画像作成部２３に作成させて表示部１に表示させる処理である。
【００６４】
この処理は、カメラ１００が撮影モードに設定されているときに所定の間隔で実行が開始される。
まず、図８の（ａ）に示す撮影領域算出処理のメインフローを説明する。
Ｓ１０１では撮影領域枠５３の横幅を算出する処理が行われ、続くＳ１０２では撮影領域枠５３の縦幅を算出する処理が行われる。
【００６５】
続くＳ１０３では、上述したＳ１０１及びＳ１０２の処理によって算出された撮影領域枠５３の横幅及び縦幅の値を表示画像作成部２３へ送付して撮影領域枠５３を作成させる処理が行われる。
Ｓ１０４では、作成された撮影領域枠５３を表示部１の中心に表示させる指示を表示画像作成部２３へ与える処理が行われ、その後はこの撮影領域算出処理を終了してＣＰＵ２４は他の処理を実行する。
【００６６】
次に図８の（ｂ）に示されている横幅算出処理を説明する。この処理は（ａ）のＳ１０１において行われる処理である。
まず、Ｓ１１１において、カメラ１００と撮影者の瞳との間隔Ｌの値を撮影者測距部２９による測定結果から取得する処理が行われる。
【００６７】
Ｓ１１２では、ＣＰＵ２４によって制御されているズームレンズ４−１の現在位置より求められるズーム比の現在の設定状態を取得する処理が行われ、続くＳ１１３では、このときのズーム比における撮影画角αを例えば予め用意されているテーブルを参照することによって取得する処理が行われる。
【００６８】
Ｓ１１４では、予め定まっている表示部１の横幅Ｍの値と、前述したＳ１１１の処理によって取得されたＬの値とを前述した（２）式に代入し、表示部１の両横端を撮影者の瞳が見るときの視角βを算出する処理が行われる。
Ｓ１１５では、Ｓ１１３の処理によって取得されたαの値とＳ１１４の処理によって算出されたβの値との大小を比較する処理が行われ、β≧α（Ｓ１１５の判定結果がＹｅｓ）ならばＳ１１６に、β＜α（Ｓ１１５の判定結果がＮｏ）ならばＳ１１７に、それぞれ処理を進める。
【００６９】
Ｓ１１６では、Ｓ１１１の処理によって取得されたＬの値とＳ１１３の処理によって取得されたαの値とを前述した（１）式に代入し、撮影領域枠５３の横幅Ｎを算出する処理が行われ、その後はこの横幅算出処理を終了して元の処理へ戻る。
Ｓ１１７では、撮影領域枠５３の横幅Ｎの値の算出結果を∞（無限大）とし、その後はこの横幅算出処理を終了して元の処理へ戻る。
【００７０】
以上までの処理が横幅算出処理である。ここで、表示画像作成部２３は、横幅Ｎの値として∞がＣＰＵ２４から送られてきたときには、撮影領域枠５３を構成する両横の縦棒を表示部１に表示しないようにする。
なお、図８（ａ）のＳ１０２の処理である縦幅算出処理の処理内容は図８（ｂ）に示した横幅算出処理と同様のものであるので、説明を省略する。
【００７１】
以上までの処理がＣＰＵ２４によって行われることによって表示部１に撮影領域枠５３が表示される。
なお、上述した撮影領域算出処理においては、表示画像作成部２３によって作成された撮影領域枠５３を表示部１の中心に表示させるようにしていたが、この代わりに、被写体に近接して撮影するいわゆるマクロ撮影等においてとりわけ影響が顕著となる、撮影レンズ４の位置と表示部１を透視する撮影者の瞳の位置との違いに起因するいわゆるパララックス（視差）に配慮し、カメラ１００と被写体との間の距離に基づいて表示部１における撮影領域枠５３の表示位置を変化させるようにしてもよい。この被写体距離に応じたパララックスの補正について、図９を参照しながら説明する。
【００７２】
図９において、（ａ）は遠景を被写体とする撮影時における表示部１での表示画面を示しており、この場合にはパララックスの補正は不要なので、表示部１の表示面の中心に撮影表示枠５３が表示されている。一方、（ｂ）は近景を被写体とする撮影時における表示部１での表示画面を示しており、この場合にはパララックスを補正するために、表示部１の表示面の左端のやや上寄りに撮影表示枠５３が表示されている。すなわち、（ｂ）における撮影表示枠５３は、（ａ）よりもカメラ１００における撮影レンズ４の位置に近づけて撮影表示枠５３を表示させており、撮影レンズ４を経て撮影される画像の範囲をより適切に反映させたものとなっている。
【００７３】
なお、このように被写体距離に応じて撮影表示枠５３を表示させるためには、例えば、図８（ａ）に示した撮影領域算出処理のＳ１０４の処理ステップにおいて、被写体測距部２８によって測定されるカメラ１００と被写体との間の距離を取得する処理、この距離における撮影表示枠５３の表示部１での表示位置を例えば予め用意されているテーブルを参照することによって取得する処理、そして、この位置に撮影領域枠５３を表示させる指示を表示画像作成部２３へ与える処理をＣＰＵ２４に行わせるようにすればよい。
【００７４】
次に、カメラ１００が撮影モードで動作しているときにおける表示部１での画像表示について、図１０及び図１１を参照しながら説明する。
このカメラ１００では、撮影モードにおいて、被写体を透視させている表示部１に、ＣＣＤ５によって撮像されている被写体にについてのスルー画像、あるいは内蔵メモリ１２に記録されている記録済みの画像を表示させることができる。
【００７５】
図１０に示す表示例において、（ａ）では被写体（同図においては車）についての被写体像６１を表示部１が透視させている。このとき、撮影者が操作ダイヤル５を操作してカメラ１００に所定の指示を与えると、（ｂ）に示すように、その時点においてＣＣＤ５によって撮像されている被写体についてのスルー画像６２が表示部１の画像表示枠６３内に表示され、撮影者は被写体像６１とスルー画像６２とが重なった画像を見ることとなる。
【００７６】
なお、ズーム比表示レバー５５を見ると分かるように、この（ｂ）においては、ズームレンズ４−１がワイド端に設定されている。ここで、撮影者が操作ダイヤル５を操作してズームレンズ４−１をテレ端の方へ移動させる指示を行うと、前述したように撮影領域枠５３のサイズが縮小する一方で、画像表示枠６３内に表示されるスルー画像６２は拡大される。（ｂ）の状態からこのようにズームレンズ４−１をテレ端まで移動させたときにおける表示部１の表示が図１０の（ｃ）に示されている画像表示例である。
【００７７】
図１１は、表示部１に表示させる画像を、スルー画像６２に代えて、内蔵メモリ１２に記録されている既に記録済みの画像とした場合の表示例である。
（ａ）では、表示部１が被写体についての被写体像６１を透視させているときに、撮影者が操作ダイヤル５を操作してカメラ１００に所定の指示を与えたことによって、その指示に係る記録済みの画像（記録画像６４）が表示部１の画像表示枠６３内に表示されている状態を示しており、撮影者は被写体像６１と記録画像６４とが重なった画像を見ることとなる。
【００７８】
なお、撮影者は、（ａ）の表示状態において操作ダイヤル５を操作してカメラ１００に所定の指示を与えることにより、図１１の（ｂ）や（ｃ）に示すように、表示部１に表示されている記録画像６４の大きさや表示位置を変更することができる。
また、撮影時に撮影者がズーム比を変更した場合、被写体像６１との間の距離を変更した場合、あるいは天候や撮影場所の変更によって輝度が変更した場合などといった撮影条件の変更に応じ、図１１の（ｂ）や（ｃ）に示すように、記録画像６４の表示位置や大きさ、ズーム比、あるいは表示輝度などを変更することにより、被写体像６１と記録画像６３とを容易かつ適切に撮影者に視認させることができる。また、図１０に示した表示部１にスルー画像を表示する場合についても同様の処理を実現させることができる。
【００７９】
次に、カメラ１００が撮影モードで動作している場合に図１０や図１１に示したような画面を表示部１に表示させるためにＣＰＵ２４によって行われる処理である、撮影時画像表示処理について説明する。図１２はこの処理の処理内容をフローチャートで示したものである。
【００８０】
なお、この処理も、図８に示した撮影領域算出処理と同様、ＣＰＵ２４が前述した制御プログラムを実行することによって行われるものであり、カメラ１００が撮影モードに設定されているときに所定の間隔でその実行が開始される。
まず、Ｓ２０１において、操作ダイヤル７に対してなされた操作に対応する指示の内容を取得する処理が行われる。
【００８１】
続くＳ２０２では、指示の内容が画像の表示に係るものであったか、あるいは画像の表示中止を示すものであったかを判定する処理が行われ、画像の表示に係る指示であったならばＳ２０３に、画像の表示中止を示す指示であったならばＳ２０６に、それぞれ処理を進める。
【００８２】
Ｓ２０３では、指示の内容がスルー画像６２の表示要求を示すものであったか否かが判定され、この判定結果がＹｅｓならばＳ２０５に処理を進める。一方、このＳ２０３の判定結果がＮｏならば、記録画像６４の表示要求を示すものであったとみなし、Ｓ２０４において表示画像作成部２３へ指示を与えて操作ダイヤル７への指示に係る画像データを内蔵メモリ１２から読み出して画像伸張処理を施して表示画像として取得させる処理が行われ、その後はＳ２０８に処理を進める。表示画像作成部２３はＣＰＵ２４からの指示に従って処理を実行する。
【００８３】
Ｓ２０５では、ズームレンズ４−１によるズームにおける現在のズーム比の設定状態が取得され、このズーム比が「ワイド」の状態、すなわちズームレンズ４−１がワイド端に位置しているかどうかが判定される。ここで、このＳ２０５の判定結果がＹｅｓならば、Ｓ２０６において表示画像作成部２３へ指示を与えて表示部１で行われている表示画像の表示を消去させる処理が行われ、表示画像作成部２３はＣＰＵ２４からの指示に従って処理を実行する。そして、このＳ２０６の処理を終えた後にはこの撮影時画像表示処理が終了し、ＣＰＵ２４は他の処理を実行する。
【００８４】
一方、Ｓ２０５の判定結果がＮｏならばＳ２０７に処理を進め、表示画像作成部２３へ指示を与えて、ＣＣＤ５によってその時点で撮像されている画像が表現されている画像データを表示画像として撮像部２１から取得させる処理が行われる。
なお、このＳ２０５の判定処理は、カメラ１００のズーム比が「ワイド」の状態にある場合には、スルー画像６２の表示要求が撮影者からなされていてもスルー画像６２を表示させないようにして電力消費を節約するためのものである。ここで、図１０（ｂ）の表示例のように、カメラ１００のズーム比が「ワイド」の状態にある場合にもスルー画像６２を表示させるようにすることも可能であり、そのためには、図１２に示したフローチャートからＳ２０５の処理を削除し、Ｓ２０３の判定結果がＹｅｓの場合にはＳ２０７に処理を進めるようにすればよい。
【００８５】
Ｓ２０８では、ＣＣＤ５によってその時点で撮像されている画像が表現されている画像データを撮像部２１から取得してその画像全体の輝度、すなわちカメラ１００の周囲の明るさを算出し、その算出結果が適正値の範囲内に含まれるかどうかを判定する処理が行われる。ここで、この明るさが適正値の範囲内であるならばこのままＳ２１１に処理を進める。一方、この明るさが適正値よりも明るいのであれば、Ｓ２０９において表示画像を表示部１に表示させるときの輝度の設定を高めるように変更し、その後はＳ２１１に処理を進める。また、この明るさが適正値よりも暗いのであれば、Ｓ２１０において表示画像を表示部１に表示させるときの輝度の設定を低くする変更を行い、その後はＳ２１１に処理を進める。このＳ２０８からＳ２１１にかけての処理は、自照する表示素子である有機ＥＬ表示素子を表示部１として使用している場合において、その表示輝度をカメラ１００周囲の明るさに応じて変化させることによって表示画像の視認性を向上させるためのものである。
【００８６】
Ｓ２１１では、表示画像の表示サイズを変更する指示が操作ダイヤル７の操作によってなされたか否かが判定され、この判定結果がＹｅｓの場合にのみ、Ｓ２１２において、表示画像の表示サイズの設定の変更を表示画像作成部２３へ指示する処理が行われる。
続くＳ２１３では、表示画像の表示位置を変更する指示が操作ダイヤル７の操作によってなされたか否かが判定され、この判定結果がＹｅｓの場合にのみ、Ｓ２１４において、表示画像の表示位置の設定の変更を表示画像作成部２３へ指示する処理が行われる。
【００８７】
例えば、図１１（ａ）に示すように、被写体６１の表示と記録画像６４の表示とが重畳されてしまう部分が多い場合、撮影者が操作ダイヤル７を操作して指示すると上述のＳ２１２及びＳ２１４の処理がＣＰＵ２４によって行われ、図１１の（ｂ）や（ｃ）に示すように、記録画像６４のサイズが縮小すると共に、被写体像６１が視認し易い位置に移動する。この結果、被写体と撮影画像若しくは記録画像とを容易かつ適切に視認することが可能となる。また、被写体と撮影画像との関係も撮影者がより容易かつ適切に視認できるようになる。
【００８８】
Ｓ２１５では、表示画像の表示部１への表示指示を表示画像作成部２３へ送付する処理が行われる。この指示を受け取った表示画像作成部２３では、先になされた設定に従い、所定サイズの表示画像を画像表示枠６３と共に表示部１における所定位置に表示させる。
このＳ２１５の処理を終えた後にはこの撮影時画像表示処理が終了し、ＣＰＵ２４は他の処理を実行する。
【００８９】
ここで、Ｓ２１２の処理は、表示画像の表示サイズを変更する指示が操作ダイヤル７の操作によってなされた場合に実行されるが、例えばズームレンズ４−１によるズームにおける現在のズーム比の設定情報や、被写体測距部２８で得られるカメラ１００と被写体との距離情報をＣＰＵ２４が読出し、予め用意されている、その設定情報や距離情報に応じた表示サイズのテーブルを参照することによって表示画像の表示サイズを決定し、表示画像作成部２３へ指示する処理が行なわれるようにしてもよい。
【００９０】
また、同様に、Ｓ２１３の処理は、表示画像の表示位置を変更する指示が操作ダイヤル７の操作によってなされた場合に実行されるが、例えば現在のズーム比の設定情報や、カメラ１００と被写体との距離情報をＣＰＵ２４が読出し、予め用意されている、設定情報や距離情報に応じた表示位置のテーブルを参照することによって表示位置を決定し、表示画像作成部２３へ指示する処理が行われるようにしてもよい。
【００９１】
以上までの処理が撮影時画像表示処理であり、このＣＰＵ２４がこの処理を行うことによって、操作ダイヤル７からの指示や撮影時の撮影条件に基づいて表示設定がなされ、図１０や図１１に示したような画像が表示部１に表示される。
次に、このカメラ１００を用いて行うことのできる応用撮影動作のひとつである画像合成撮影について、図１３に示す画像表示例を用いて説明する。
【００９２】
図１３は、合成撮影時における画像表示の例を示しており、（ａ）はカメラ１００のズーム比が「ワイド」の状態にある場合を、（ｂ）はカメラ１００のズーム比が「テレ」の状態にある場合を、それぞれ示している。
図１３に示す表示画面例において、表示部１は、撮影領域枠５３を表示していると共に、その撮影領域枠５３内の左側に被写体（図１３においては人物）についての被写体像６１を透視させている。一方、その撮影領域枠５３内の右側には、撮影者からの指示に係る記録画像６４が表示されている。この記録画像６４の表示サイズは、撮影領域枠５３のサイズ、すなわちカメラ１００のズーム比に従って変化する。
【００９３】
この画面が表示部１に表示されている状態で撮影者が操作ダイヤル７を操作してレリース指示を行うと被写体の撮影が行われ、撮影領域枠５３内の画面表示のように、被写体像６１と記録画像６４とが左右に並んだ合成画像が生成されて内蔵メモリ１２に記録される。これがカメラ１００による画像合成撮影である。
【００９４】
撮影者が操作ダイヤル７を操作することによって、カメラ１００においてこの画像合成撮影を行うための動作モードである画像合成撮影モードへのモード変更指示がなされたときにＣＰＵ２４によって行われる画像合成撮影モード処理について説明する。図１４はこの処理の処理内容をフローチャートで示したものである。
【００９５】
なお、この処理も、図８に示した撮影領域算出処理と同様、ＣＰＵ２４が前述した制御プログラムを実行することによって行われる。
まず、Ｓ３０１において、表示画像作成部２３へ指示を与え、撮影者からの指示に係る記録画像の画像データを内蔵メモリ１２から読み出してデータ伸張を施させる処理が行われる。
【００９６】
続くＳ３０２において、図８に示した撮影領域算出処理が行われて撮影領域枠５３が表示部１に表示される。
Ｓ３０３では、表示画像作成部２３へ指示を与え、記録画像のサイズを変更させて撮影領域枠５３の右半分のサイズとする処理が行われる。
【００９７】
Ｓ３０４では、更に表示画像作成部２３へ指示を与え、前ステップの処理によってサイズの変更された記録画像を表示部１の撮影領域枠５３内の右半分野間領域に表示させる処理が行われる。
Ｓ３０５では、撮影者による操作ダイヤル７への操作によってレリース（撮影指示）がさなれたか否かが判定され、レリースが確認された（判定結果がＹｅｓ）ならばＳ３０６に処理を進める。一方、レリースが確認されない（判定結果がＮｏ）ならばＳ３０１へと処理が戻って上述した処理が繰り返される。
【００９８】
Ｓ３０６では、表示画像作成部２３へ指示を与え、所定の撮影条件に従ってＣＣＤ５でこのときに撮影された被写体像６１の撮影画像についての画像データを取得させる処理が行われる。
Ｓ３０７では、表示画像作成部２３へ指示を与え、被写体像６１が表されている撮影画像の左半分と、Ｓ３０３の処理によって得られている撮影領域枠５３の右半分のサイズである記録画像６４とが左右に並べられた合成画像を生成させる処理が行われる。
【００９９】
Ｓ３０８では、更に表示画像作成部２３へ指示を与え、前ステップの処理によって生成された合成画像を表現している画像データに対してデータ圧縮を施させると共に、圧縮後の合成画像データを内蔵メモリ１２に記録させる処理が行われる。その後はＳ３０１へと処理が戻って上述した処理が繰り返される。
【０１００】
以上までの処理が画像合成撮影モード処理であり、この処理がＣＰＵ２４で行われることによって、「ツーショット撮影機能」などとも称されている、被写体である人物と予め撮影済みの人物とが並んだ合成画像を撮影することができる。
なお、上述した画像合成撮影モード処理においては、被写体である人物を左側に、予め撮影済みの人物を右側に並べて合成画像を生成したが、この左右の並びを逆にすることも容易に行うことができる。また、操作ダイヤル７によって記録画像６４のサイズ及び表示位置を指定して、撮影領域枠５３内の任意の位置に撮影済みの画像を表示させて合成画像を生成することも容易に行うことができる。
【０１０１】
次に、このカメラ１００のアクセサリのひとつである、カメラ１００を収納するカメラケース３００の形状について説明する。
図１５はカメラケース３００の第一の例を示している。同図に示すカメラケース３００をカメラ１００に被せることによってカメラ１００の前面側がカメラケース３００で覆われる。図１５において、（ａ）はカメラケース３００の使用状態、（ｂ）はカメラケース３００を開いた状態を示している。カメラケース３００は、薄肉の素材、例えば革やプラスチック、あるいは絞り加工された金属板などを用いて構成される。
【０１０２】
図１５（ａ）を参照すると分かるように、カメラケース３００をカメラ１００に被せた状態でもカメラ１００のレンズ３を露出させるための開放部分がカメラケース３００には設けられている。従って、カメラケース３００を使用中においてもカメラ１００で撮影が可能である。
【０１０３】
図１５（ｂ）に示すように、カメラケース３００は柔軟性を具えたヒンジ３０２の部分をカメラ１００の筐体２の底面に、突部１６と連結するように設けられた細長い溝状の開口部に引っ掛けることでカメラ１００に組み合わされる。また、表示部１に使用される表示体が、例えばＬＣＤのような、自己発光をしないものを用いている場合には、カメラケース３００の内側には、カメラ１００の表示部１をカメラ１００の前面側から照らすバックライト３０１が備えられるように構成される。このバックライト３０１のサイズは、カメラ１００の前面側の凹部にちょうど嵌まり込むようなサイズとしている。
【０１０４】
前述したように、バックライト３０１を点灯させるための電力はカメラ１００から供給される。カメラ１００のレンズ３の部分を拡大して示した図を図１６に示す。図１６に示すように、このレンズ３の側の部分にはバックライト３０１へ供給する電力が出力される電源接点３３が設けられている。一方、図１５（ｂ）に示すように、カメラ１００にカメラケース３００を被せたときにカメラ１００の電源接点３３が接する位置にはケース側電源接点３０３が設けられている。従って、カメラ１００にカメラケース３００を被せるとカメラ１００からバックライト３０１へ電力が供給されてバックライト３０１が点灯し、表示部１を照らして表示画像の視認性を向上させる。
【０１０５】
次に図１７に示すカメラケースの第二の例について説明する。この第二の例は手帳のような形状を有しており、カメラ１００の前面側を覆う前面側ケース３００−１と、カメラ１００の背面側を覆う背面側ケース３００−２とがヒンジ３１１を介して接続されて構成されており、同図に示す状態から背面側ケース３００−２を閉じてベルト３１２をベルト止め３１３に通すことによってカメラ１００の全体が覆われる。なお、同図に示す状態は図１５（ａ）と同様の同様の状態であり、カメラ１００での撮影が可能であって、且つカメラ１００から供給される電力によってバックライト３０１が点灯して表示部１を照らすことのできる状態である。
【０１０６】
次に、このカメラ１００のアクセサリのひとつである、カメラ１００が載置されるカメラスタンド２００の構造について説明する。
図１８及び図１９はカメラスタンド２００の例を示している。このカメラスタンド２００は、大きく分けて、カメラ１００を保持するホルダー２１０と、ホルダー２１０を支えるアーム２２０と、アーム２２０を支えてカメラスタンド２００を起立させておく台座２３０とから構成されている。ここで、図１８と図１９とを比較すると分かるように、ホルダー２１０はアーム２２０の支点を中心として回転させることができるように構成されており、例えば表示部１に表示させる画像の向きに応じてカメラ１００を縦や横に向けて保持させることができる。
【０１０７】
ホルダー２１０はベース部２１１、サイド部２１１−１及び２１１−２、並びに底部２１３を有しており、図１８におけるホルダー２１０の上方からカメラ１００をスライドさせてホルダー２１０へ挿入して載置すると、それぞれカメラ１００の前面、側面、及び底面を保持する。このとき、サイド部２１１−１及び２１１−２に各々設けられている側面押さえ２１４−１及び２１４−２がカメラ１００をその側面で保持し、底部２１３に設けられている前面押さえ２１５がカメラ１００をその前面側から保持する。
【０１０８】
また、図１８に示されているように、カメラ１００の表示部１の表示体が、例えばＬＣＤのような、自己発光をしないものを用いている場合には、このカメラスタンド２００におけるホルダー２１０のベース部２１１にもバックライト２０２が設けられている。カメラ１００をカメラスタンド２００に装着した状態でバックライト２０１を点灯させると、前述したカメラケース３００と同様、表示部１をその前面側から照らして表示画像の視認性を向上させる。
【０１０９】
また、ホルダー２１０のサイド部２１２−２にはコネクタ２１６が設けられている。コネクタ２１６をカメラ１００の有するスタンド用接点１４と接続することで、カメラ１００を動作させるための電力をカメラスタンド２００から供給することができる。
その他、本発明は、上述した実施形態に限定されることなく、本発明の要旨を逸脱しない範囲内で種々の改良・変更が可能である。
【図面の簡単な説明】
【０１１０】
【図１】本発明を実施するカメラの外観及び主要構成部品の配置を示す図である。
【図２】図１に示したカメラの構成を示す図である。
【図３】表示部の構造の第一の例を示す図である。
【図４】表示部の構造の第二の例を示す図である。
【図５】表示画面の例を示す図（その１）である。
【図６】表示画面の例を示す図（その２）である。
【図７】撮影画角と撮影表示枠との関係を説明する図である。
【図８】撮影領域算出処理の処理内容を示すフローチャートである。
【図９】被写体距離に応じたパララックス補正の様子を示す図である。
【図１０】撮影動作時における画像表示の例を示す図（その１）である。
【図１１】撮影動作時における画像表示の例を示す図（その２）である。
【図１２】撮影時画像表示処理の処理内容を示すフローチャートである。
【図１３】合成撮影時における画像表示の例を示す図である。
【図１４】画像合成撮影モード処理の処理内容を示すフローチャートである。
【図１５】カメラケースの第一の例を示す図である。
【図１６】カメラのレンズ部分の拡大図である。
【図１７】カメラケースの第二の例を示す図である。
【図１８】カメラスタンドの例を示す図である。
【図１９】図１８に示したカメラスタンドのホルダーの回転の様子を示す図である。
【符号の説明】
【０１１１】
１  表示部
２  筐体
３  撮影レンズ窓
４  撮影レンズ
５  ＣＣＤ
６  ＬＥＤ
７  操作ダイヤル
８  上面基板
９  底面基板
１０  撮像基板
１１  電源基板
１２  内蔵メモリ
１３  電池
１４  スタンド用接点
１５  指置き面
２１  撮像部
２２  画像処理部
２３  表示画像作成部
２４  ＣＰＵ
２５  操作部
２６  ズームモータ
２７  フォーカスモータ
２８  被写体測距部
２９  撮影者測距部
３０  発光部
３１  ラインセンサ
３２  電源部
３３  電源接点
４１  有機ＥＬ表示素子
４２  ＥＣＤ
４３  ＬＣＤ
５１  絞り
５２  シャッター速度
５３  撮影領域枠
５４  撮影者との間隔
５５  ズーム比表示レバー
５５−１  現ズーム位置
５６  適正間隔表示部
６１  被写体像
６２  スルー画像
６３  画像表示枠
６４  記録画像
１００  カメラ
２００  カメラスタンド
２０１  電源部
２０２、３０１  バックライト
２１０  ホルダー
２１１  ベース部
２１２−１、２１２−２  サイド部
２１３  底部
２１４−１、２１４−２  側面押さえ
２１５  底面押さえ
２１６  コネクタ
２２０  アーム
２３０  台座
３００  カメラケース
３００−１  前面側ケース
３００−２  背面側ケース
３０２、３１１  ヒンジ
３０３  ケース側電源接点
３１２  ベルト
３１３  ベルト止め
【図１】
2005110161.tif 000003
【図２】
2005110161.tif 000004
【図３】
2005110161.tif 000005
【図４】
2005110161.tif 000006
【図５】
2005110161.tif 000007
【図６】
2005110161.tif 000008
【図７】
2005110161.tif 000009
【図８】
2005110161.tif 000010
【図９】
2005110161.tif 000011
【図１０】
2005110161.tif 000012
【図１１】
2005110161.tif 000013
【図１２】
2005110161.tif 000014
【図１３】
2005110161.tif 000015
【図１４】
2005110161.tif 000016
【図１５】
2005110161.tif 000017
【図１６】
2005110161.tif 000018
【図１７】
2005110161.tif 000019
【図１８】
2005110161.tif 000020
【図１９】
2005110161.tif 000021